Podtech/llm-jp-corpus-v4-ja_patent huggingface dataset:
(57)【要約】【目的】車輌の前方部にブレーキランプを付け、後方部のブレーキランプと連動させることによって、車輌の前方部からもその車輌が停止しようとしているのか加速しようとしているのかの確認ができる。したがって（１）車線変更をする際、変更しようとする車線後方から来る車輌の走行状態つまり加速しているのか減速しているのかがわかり、こちら側の判断も明確となり、より安全に車線変更ができる。（２）横道から車線へ入る際も入ろうとする車線後方から来る車輌の動行がわかり、安全に車線へ入ることができる。（３）信号のない交差点において出合い頭に車輌が来た場合、おたがいに進・停止の認識ができ安全に走行できる。（４）横断歩道において、歩行者が停車中の車輌・運転者の進・停車の意志が確認でき、安全に歩道を横断することができる。【構成】車輌の前方部にブレーキランプをつける。【選択図】図１
0003102212.tif 000002
【実用新案登録請求の範囲】
【請求項１】
前方部にブレーキランプのついた車輌
【考案の詳細な説明】
【考案の詳細な説明】
【産業上の利用分野】
【０００１】この考案は前方部にブレーキランプのついた車輌である。
【背景技術】
【０００２】従来の車輌は、ブレーキランプが後方部のみしかついておらず、前方から走行中の車輌を見た時、その車輌が停止しようとしているのか、加速しようとしているのか見分けがつかず、自ら運転中車線変更をしたり横道から車線へ入ろうとする時、また、信号のない交差点などでの出合い頭に車輌が来た場合、相手の車輌の進・停止の判断がつかず、事故の原因となっていた。
【考案が解決しようとする課題】
【０００３】本考案は、このような問題を解決し、事故をなくすために車輌の前方部へブレーキランプを付け、後方部のブレーキランプと連動させ、走行中の車輌を前方から見た時、その車輌が加速しているのか、停止しようとしているのかの判断がつくようにしたものである。
【課題を解決するための手段】
【０００４】車輌の前方部へブレーキランプを付け、後方部のブレーキランプと連動して、運転者がブレーキを踏んだ時、点灯するようにした。
【考案の結果】
【０００５】  したがって本考案のもたらす利益としては
（１）走行中、車線変更をする際、変更しようとする車線後方から来る車輌の走行状態、つまり加速しているのか減速しているのかの判断がつき、より安全に車線変更ができる。
（２）横道から車線へ入る場合においても同様のことがいえる。
（３）信号のない交差点で出合い頭に車輌が来た場合、相手の車輌が停止するのか加速するのか判断がつけ易く、より安全な運転ができる。
（４）横断歩道において、歩行者が停車中の車輌運転者の進・停車の意志が確認でき、安全に歩道を横断できる。
【図面の簡単な説明】
【０００６】
【図１】  車輌の前面部である。
【符号の説明】
【０００７】１．車輌車体前面部
２．ブレーキランプ
３．バンパー
４．ヘッドランプ
【図１】
0003102212.tif 000003
(57)【要約】【課題】人力に代替する動力を用いて、除雪作業の労力削減を図るものを提供する。【解決手段】  通称スノーダンプを中央の湾曲板（１）に取り付けられるようにして、その部分を８本の支柱（３）でつなぎ、さらに回転軸が中に入っている棒（５）に接着し、それを接続部品（５）によって四輪駆動車に取り付け、四輪駆動車の操作によって除雪を行えるようにしたことを特徴とする。【選択図】図１
0003102215.tif 000002
【実用新案登録請求の範囲】
【請求項１】
（イ）中央の湾曲板（１）に、通称スノーダンプを取り付ける場所を設ける。
（ロ）中央の湾曲板（１）の両側に中央の湾曲板（１）と同じ大きさの湾曲させた除雪板（２）を斜めに取り付ける。
（ハ）両端の除雪板（２）の外側にあたる角からそれぞれ支柱（３）を伸ばし、上下の支柱（３）が交わった所を回転軸が中に入っている棒（４）（車幅と同じ長さ）と接続させる。さらに、４組の支柱間が等間隔になるように内側にも同じものを２組設ける。
（ニ）回転軸が中に入っている棒（４）（車幅と同じ長さ）の両端に車体に取り付けるための接続部品（５）をつける。
（ホ）中央の湾曲板（１）の下部に車輪（６）をつける。
以上のごとく構成された四輪駆動車の動力を利用して除雪を行うための取り付け器具。
【考案の詳細な説明】
【考案の詳細な説明】
【技術分野】
【０００１】  この考案は人力除雪道具（通称スノーダンプ）を四輪駆動車に取り付けるための取り付け器具に関するものである。
【背景技術】
【０００２】  従来、一般家庭では除雪は人力で行われており、非常に労力のかかる作業であった。
【発明が解決しようとする課題】
【０００３】  この欠点を解決するためには、人力に代替する動力を用いて除雪作業を行う必要がある。
本考案は、人力に代わる動力を用いての除雪作業を可能にするものである。
【課題を解決するための手段】
【０００４】  本考案はこの短所を解決するために、次のような手段を行った。
（Ａ）四輪駆動車に図１を取り付け、自動車の操作によって人力で行う除雪作業を代わりに行えるようにした。
【考案を実施するための最良の形態】
【０００５】  これは、車の前部に取り付けて使用するものである。
中央の湾曲板（１）に通称スノーダンプの接続部を取り付け（カートリッジ式）、この部分に取り除いた雪が溜まる。この部分は僅かであるが上下する構造になっている。この際、接続部に負荷をかけないように両端の除雪板（２）を湾曲させ、斜めに取り付ける構造になっている。また、回転軸が中に入っている棒（４）の外側の棒の一部に穴を開け、その穴から中の回転軸につけた突起（７）を出し、回転を制御して、安全ストッパーとして機能させ、除雪作業の反動などで、取り除いた雪が車体に当たることを防いでいる。また、先端部分をプラスチックなどにすると万一の衝突時の衝撃を少なくすることができ、安全な構造になる。
本考案は、多少の段差に対応するため、前部に車輪（６）を取り付けている。また、その衝撃によって通称スノーダンプが外れないように、固定装置（８）により、上部と左右両側を固定できるようにしている。
但し、人力で行える範囲の除雪作業を本考案により代替して行うものであり、除雪機同様の機能を果たすことを予定していない。したがって、凍結路面、３０ｃｍ以上の積雪などの人力での除雪が困難なものについては、本考案は対応していないものとする。また、土地の舗装がなされていないなどの理由で本考案を用いての除雪作業時に本考案に負荷がかかるものについては、使用を推奨しない。本考案は四輪駆動車への取り付けを最適としている。
【考案の効果】
【０００６】  通称スノーダンプを利用することによること、人力を代替して行うことによって、比較的廉価で除雪作業の負担を軽減することが出来る。
なお、図４に示すように除雪板（２）を移動させ、中央の湾曲板（１）の部分の下もしくは背面に移動用のレールを設けることにより、中央の湾曲板（１）を可動式にすることができる。これにより、中央の湾曲板（１）を左右に動かすことができ、中央部、左側部、右側部の３ヶ所で除雪が行えるようになるので、土地の隅まで除雪することが可能になる。
【図面の簡単な説明】
【図１】本考案の斜視図である。
【図２】図１のａ−ｂ線の断面図である。
【図３】本考案に通称スノーダンプを取り付けた状態の斜視図である。
【図４】本考案の他の実施例を示す斜視図である。
【符号の説明】
１  中央の湾曲板    ２  除雪板    ３  支柱
４  回転軸が中に入っている棒    ５  接続部品    ６  車輪
７  突起    ８  固定装置
【図１】
0003102215.tif 000003
【図２】
0003102215.tif 000004
【図３】
0003102215.tif 000005
【図４】
0003102215.tif 000006
(57)【要約】      （修正有）【課題】振動や騒音を発生することもなく、また活けアジや活けイワシといった生き餌であっても長時間生存させておくことが可能な携帯型生け簀を提供する。【解決手段】箱体に水槽部と酸素ボンベを着脱することが可能な酸素ボンベ収納部を設け、収納部に設置された酸素ボンベから水槽部内に酸素ガスを泡状に噴出させることを特徴とする。酸素ボンベから酸素ガスを噴出させるので、エアコンプレッサ等が原因の振動・騒音が発生することもない。またエアではなく酸素を噴出させるので十分な量の酸素を水槽内の海水に溶け込ませることが可能となるのである。【選択図】図１
0003102217.tif 000002
【実用新案登録請求の範囲】
【請求項１】
水槽部と酸素ボンベを着脱することが可能な酸素ボンベ収納部を有する箱体であり、当該酸素ボンベ収納部に収納された酸素ボンベから水槽内に酸素ガスを泡状に噴出させるようにした携帯型生け簀。
【考案の詳細な説明】
【技術分野】
【０００１】
本考案は携帯型生け簀に関し、より詳しくは釣りに使用する生き餌を魚釣り場に持っていく際に、生き餌を弱体化あるいは死滅させることなく運搬可能な携帯型生け簀に関する。
【背景技術】
【０００２】
近年海上釣り堀が各地に出来、タイ・イサギ・ハマチ・メジロ・ブリ等を気軽に釣ることが可能となった。そして、これらの魚を釣る際には生き餌として活アジや活イワシを使用するのが一般的である。又、近時人気のアオリイカ釣りにおいても活アジ・活イワシといった生き餌を使うことが多い。
【０００３】
これら生き餌は通常釣具屋やエサ屋で購入する。その際ポリ袋に海水を３〜４リットル程度入れ、生き餌たるアジやイワシを泳がせた後酸素ボンベからポリ袋に酸素を充填し、ポリ袋の口を輪ゴムで密閉して釣り客に持たせていた。釣り客はこのポリ袋を持ち釣り場所（磯、防波堤、釣り堀など）まで持参し、ロープをつけたバケツ状容器に活けアジ・活けイワシ等の生き餌を移し替え、容器ごと海中に沈め生き餌を生かしたまま保管していた。
【０００４】
そして生き餌を釣り針に取り付ける必要が生じる度に海中の容器をロープで引き上げ、生き餌を取り出し、釣り針に生き餌を取り付け、その後再度容器を海中に沈めるという作業を繰り返していた。しかし海水の入った容器は重く係る作業は重労働であると共に、磯や防波堤といった場所は足場が悪いことが多く危険を伴うものであった。
【０００５】
そこでかような問題点を解決すべくエアコンプレッサ等より成るエア噴出手段を備えた携帯型の箱に生き餌を入れ、釣り場に持参するという方法が採られることがある。
【０００６】
係る生き餌携行箱に関する改良発明として特開平５−５６７３５号公報記載の発明がある。この特開平５−５６７３５号公報記載の生き餌携行箱は、エア供給手段によってエアを槽内に噴出させると共に複数の邪魔板でエアの進路を変更せしめ、水中の酸素溶存量を高めるというものである。
【特許文献１】特開平５−５６７３５号公報
【考案の開示】
【考案が解決しようとする課題】
【０００７】
エア噴出手段を備えた携帯型の箱にはエアコンプレッサ等による振動・騒音が発生するという難点がある。  
【０００８】
又、単にエアを噴出するだけなので十分な酸素が水中にとけ込まないという難点も有する。出願人が市販製品で行った実験では約２時間で生き餌たる活アジ・活イワシが死滅した。
【０００９】
特開平５−５６７３５号公報記載の生き餌携行箱も、邪魔板によりエアの進路が変更されることから若干酸素溶存量が増えるであろうが、エビ等の生き餌であればともかく活アジや活イワシでは長時間の生存は困難と思われる。
【００１０】
そこで本考案は振動や騒音を発生することもなく、また活けアジや活けイワシといった生き餌であっても長時間生存させておくことが可能な携帯型生け簀を提供することを目的とする。
【課題を解決するための手段】
【００１１】
上記課題を解決するために本考案に係る携帯型生け簀は、箱体に水槽部と酸素ボンベを着脱することが可能な酸素ボンベ収納部を設け、当該収納部に設置された酸素ボンベから水槽部内に酸素ガスを泡状に噴出させることを特徴とする。
【００１２】
本考案においては酸素ボンベから酸素ガスを噴出させるので、エアコンプレッサ等が原因の振動・騒音が発生することもない。またエアではなく酸素を噴出させるので十分な量の酸素を水槽内の海水に溶け込ませることが可能となる。出願人の実験によれば数日間にわたり活アジや活イワシを生存させることが可能であった。
【考案の効果】
【００１３】
本考案は以上のように構成されているので振動や騒音を発生することもなく、また、活けアジや活けイワシといった生き餌であっても長時間生存させておくことができる携帯型生け簀を提供することが可能となるのである。
【考案を実施するための最良の形態】
【００１４】
以下、好ましい考案の実施形態につき図面を参照しながら述べる。
【００１５】
図１は本考案の実施状態を示す断面図である。本考案に係る携帯が生け簀は箱体１０と酸素ボンベ２０を主な構成要素とする。箱体１０は水槽部１１と酸素ボンベ収納部１２の二槽より成る。箱体１０は断熱性材により形成することが好ましい。
【００１６】
水槽部１１は海水等を入れ生き餌を泳がせておくものである。酸素ボンベ収納部１２は酸素ボンベ２０を収納するためのものである。
【００１７】
酸素ボンベ収納部に収納された酸素ボンベ２０からは、酸素供給管２１を通って水槽部１１に酸素が供給されるのである。酸素供給管２１の先端には多孔体２２が接続されており、水槽部１１に酸素が泡状に噴出される形態となっている。多孔体２２は軽石やスポンジといった多孔性材料を使用している。
【００１８】
酸素ボンベ２０にはバルブ２３が設けられており、酸素の供給の開始や停止、供給量の調整が可能となっている。
【産業上の利用可能性】
【００１９】
本考案は魚釣り用の生け簀としてのみではなく、宅配便等で活魚を家庭やスーパーマーケット、料理屋などに送付することも可能とするものであり、新たな市場の開発に役立つものといえる。
【図面の簡単な説明】
【００２０】
【図１】本考案の実施状態を示す断面図。
【符号の説明】
【００２１】
１０・・箱体      １１・・水槽部      １２・・酸素ボンベ収納部
２０・・酸素ボンベ      ２１・・酸素供給管      
２２・・多孔体      ２３・・バルブ
【図１】
0003102217.tif 000003
(57)【要約】【目的】  従来の鞄の表面は無模様で生地自体の特性を生かしたものが主流であり、特に装飾的で個性的な鞄を持ちたいという需要に対しては、鞄の生地に花などの模様を施したものや、刺繍やビーズ等で花や風景などを描いた鞄があった。しかしながらそれらは平面的であるうえ装飾性の乏しいものであった。従って本考案は極めて装飾性に優れ、立体的で個性豊かな鞄を開発することを目的とした。【構成】  図１の見取図に示すように鞄の表面又は側面にビニール．プラスチック．アクリル等を素材とした透明の装飾窓を設け、この装飾窓の中にシルクフラワー．小さなマスコット．写真．その他の装飾品３を入れることのできる構造の、装飾窓を設けた鞄を提供する。【選択図】図１
0003102214.tif 000002
【実用新案登録請求の範囲】
【請求項１】
鞄の表面１又は側面にビニール．プラスチック．アクリル等を素材とした透明の装飾窓２を設け、この装飾窓２の中にシルクフラワー．小さなマスコット．写真．その他の装飾品３を入れることのできる構造の、装飾窓を設けた鞄。
【考案の詳細な説明】
【考案の詳細な説明】
【産業上の利用分野】
【０００１】  この考案は、鞄の面にシルクフラワーや小さなマスコット等を入れることのできる装飾窓を設けた鞄に関する。
【背景技術】
【０００２】  従来より、鞄の表面は無模様で生地自体の特性を生かしたものが主流であり、特に装飾的で個性的な鞄を持ちたいという需要に対しては、鞄の生地に花などの模様を施したものや、刺繍やビーズ等で花や風景などを描いた鞄があった。しかしながらそれらは平面的であるうえ装飾性の乏しいものであった。
【考案が解決しようとする課題】
【０００３】  本考案は極めて装飾性に優れ、立体的で個性豊かな鞄を創り出すことを課題とした。
【課題を解決するための手段】
【０００４】  この手段は、鞄の面にビニール．プラスチック．アクリル等を素材とした透明の窓を設け、この透明の窓の中にシルクフラワー．小さなマスコット．写真．その他の装飾品を入れることのできる装飾窓を設けた鞄を提供する。
【考案を実施するための最良の形態】
【０００５】  本考案の実施例を図面に基づき記述する。
鞄の表面１又は側面にビニール．プラスチック．アクリル等を素材とした透明の装飾窓２を設け、この装飾窓２の中にシルクフラワー．小さなマスコット．写真．その他の装飾品３を入れることのできる構造の装飾窓を設けた鞄である。【０００６】  シルクフラワー等の装飾品３は樹脂等を素材とした背板５に固定されており、この背板５を鞄の内面の挿入口４から挿入又は取出しをするものである。【０００７】  本考案のビニール．プラスチック．アクリル等を素材とした透明の装飾窓は、鞄の表面に凸状に突出しているのが通常であるが、鞄の表面側を平坦にし鞄の内側に突出した透明の装飾窓を創ることも考えられる。
【考案の効果】
【０００８】  以上に説明したように本考案は、鞄の表面又は側面にビニール．プラスチック．アクリル等を素材とした透明の装飾窓を設け、この装飾窓の中にシルクフラワー．小さなマスコット．写真．その他の装飾品３を入れることのできる構造の鞄であり、極めて装飾性に優れ立体的で個性豊かな効果を持つ鞄である。
更に、愛用品や流行品や季節に応じた装飾品に入替えるなど、この鞄の愛用者の好みにより装飾品を変化させることができる鞄である。
又、本考案は鞄として持ち歩くのみではなく装飾窓にユニークな物を飾り付けて室内に置けばインテリアとしても応用できる
【図面の簡単な説明】
【図１】見取図
【図２】部分断面図
【符号の説明】
１．鞄の表面
２．装飾窓
３．装飾品
４．挿入口
５．背板
６．内袋
【図１】
0003102214.tif 000003
【図２】
0003102214.tif 000004
(57)【要約】      （修正有）【課題】一般家庭の流し台に設置する三角コーナーや、共同炊事場で使用する三角コーナーで、すべてが紙製品で製造されている。安価で、しかも流し台がいつも清潔に保てる使い捨てペーパーキッチン三角コーナーを提供する。【解決手段】厚紙１を裁断し、山折り、谷折りに折り曲げ、のりしろに糊付けし、本体の三角コーナー１を完成させ、その完成した三角コーナーにペーパーネット４を取り付けて使用する。持ち運び及び簡便に収納する場合は、谷折り線３を内側に折ることにより、可能である。【選択図】図３
0003102213.tif 000002
【実用新案登録請求の範囲】
【請求項１】
使用材料がすべて紙製品で製造されていて、底面を有しないことを特徴とし、谷折り線（３）を内側に折ることにより、コンパクトに折りたため、収納簡便な使い捨てのペーパーキッチン三角コーナー。
【考案の詳細な説明】
【技術分野】
【０００１】  本考案は、家庭用シンク（調理流し台）又は共同の調理シンク（調理流し台）の一角に設置して、生ごみを入れるペーパーキッチン三角コーナーに関するものである。
【背景技術】
【０００２】  従来の三角コーナーは、合成樹脂またはステンレス鋼板を使用したものに、ビニールもしくは、紙製のネットを掛けて使用していた。
また、使い捨ての三角コーナー特開２００３−２１２３０２号はあるが、防水性の厚紙を利用し、底面があるため、製造コストが高くついていた。
【特許文献１】    特開２００３−２１２３０２号
【０００３】
【考案の開示】
【考案が解決しようとする課題】
【０００４】  従来の製品は、常時シンクに設置してあるため、シンク内の面積を狭くするだけでなく、清潔を保つために、定期的な洗浄が必要であった。家庭ではそれも可能であるが、病院の共同炊事場、キャンプ場、湯治場、その他貸事務所等の共同炊事場の場合は、責任感や義務感の欠如のため、不衛生になりがちであった。
【考案を解決するための手段】
【０００５】  本考案の使い捨て三角コーナーは、厚紙で底なしの三角コーナーを製造し、紙製のネットを取り付けて使用する。
【考案の効果】
【０００６】  本考案の使い捨て三角コーナーを使用することにより、シンクや三角コーナーの洗浄に手間がかからないことや、共同炊事場では、シンクを利用する者各自が持参し、使用が済んだら各自で生ごみ収納の容器に捨てるようにすると、いつも清潔なシンクの利用が可能になる。しかも、使い捨て三角コーナーは、すべてが紙製品のため、可燃ごみとして処理できるので、エコ製品としても価値がある。
【考案を実施するための最良の形態】
【０００７】  本考案の使い捨て三角コーナーは、三角コーナー本体及び使用ネットすべてが紙製品であるため、安価で製造でき、しかも安価で販売できる。従って、炊事作業ごとに三角コーナーごと生ごみ収納容器に捨てて使用する。
【実施例１】
【０００８】  本考案の使い捨て三角コーナーを数個手作りで製作し、貸事務所の共同炊事場で試験的に使用していただいたところ、処理が簡単にできることや、ぬめりやカビの発生を防ぐことができると、大変喜んでいただけた。
【実施例２】
【０００９】  本考案の使い捨て三角コーナーは、図２で示す通り、二つに折りたたんであるため、それを開くだけで簡単に使用でき、三角コーナーの外側に掛かっているネット部分を立てて、絞り紐で絞ることにより、多い量の生ごみもしっかりまとめることができる。
【産業上の利用可能性】
【００１０】  本考案の使い捨て三角コーナーは、大量生産する場合は、トンプソン（紙型切断機）で切断し、４箇所（２）（３）に折り目を入れ、ペーパーネットを三角コーナー本体に取り付け、本体の（７）の部分を、のりしろ部分（６）に糊で貼り付ける。【００１１】  本考案の使い捨て三角コーナーの組み立て方を説明する。
▲１▼まず、図１に示すような形に厚紙を裁断する。
▲２▼次に、図１に示す符号の山折り線（２）に折り目を入れる。
▲３▼次に、図１に示す符号の谷折り線（３）に折り目を入れる。
▲４▼最後に図１で示すのりしろ（６）に（７）部を糊付けする。
▲５▼これで、底なしの三角コーナーの本体が完成する。
▲６▼完成した三角コーナーにペーパーネット（４）をセットし、三角コーナーの内側（８）に、糊で貼り付けて完成である。
【図面の簡単な説明】
【００１２】
【図１】本考案の紙型を開いた図
【図２】本考案の折りたたんだときの図
【図３】本考案の斜視図
【符号の説明】
【００１３】  １．本考案の枠を形成する厚紙
２．外側に折る、折り線（山折り線）
３．内側に折る、折り線（谷折り線）
４．ペーパーネット
５．ネット絞り紐
６．のりしろ部分
７．裏側は、のりしろ部分（６）との接着部分
８．糊付け部分
【図１】
0003102213.tif 000003
【図２】
0003102213.tif 000004
【図３】
0003102213.tif 000005
(57)【要約】【課題】本考案は、現在使用中の携帯電話が、突然の予期しない故障、事故による破損、紛失等で、携帯電話を変えざるを得ない状況になった時に、新規の電話でも、消失した電話メモリーの一覧を充電兼ねて、簡単にバックアップ出来る事を提供する。【解決手段】充電器本体（１）に、メモリーを内蔵した携帯電話充電手段（２）を設け、また別途に、バックアップメモリー入出力手段（３）を脱着可能に設け、また充電専用とバックアップメモリー専用に切替える、ＬＥＤランプ付ボタンスイッチ（５）を設け、さらに携帯電話（６）の、全機種対応ソケット（４）を設けてなる。【選択図】      図  １【実用新案登録請求の範囲】
【請求項１】
充電器本体（１）に、メモリ入出力手段を内蔵した携帯電話充電手段（２）を設け、また別途にバックアップメモリー入出力手段（３）を脱着可能に設け、また充電専用とバックアップメモリー専用に切替える、ＬＥＤランプ付ボタンスイッチ（５）を設け、さらに携帯電話（６）の、全機種対応ソケット（４）を設けてなる、バックアップメモリー付携帯電話充電器。
【考案の詳細な説明】
【技術分野】
【０００１】  本考案は、携帯電話の顧客等のデーターメモリーバックアップに関するものである。
【背景技術】
【０００２】  従来、携帯電話（６）を新しく買い替える時等、旧携帯電話に登録してある電話帳等のデーターは、電話ショップで移し替えてもらっていた。
【考案の開示】
【考案が解決しようとする課題】
【０００３】  しかしながら、突然電話が故障したり、水中に落としたり、踏んで壊れたり、電話を紛失してしまう等、急な事に遭遇するが、その時に電話データーメモリーも消失することなる。【０００４】  つまり携帯電話（６）を新しくした時には、また一つ一つ電話データーを入れる必要があった。  本考案は、このような問題を改善する為になされたものである。
【課題を解決するための手段】
【０００５】  携帯電話（６）に入力された、電話帳一覧等を記憶してファイルしたり、そのファイルを新規の携帯電話（６）へ、ダウンロードしたりするバックアップメモリー入出力手段（３）を、充電器本体（１）に脱着交換可能に設ける。次に前記本体内に、メモリー内蔵の携帯電話充電手段（２）を設ける。また、充電専用として使用したり、バックアップメモリー専用として使いたい場合があるので、充電専用とバックアップメモリー専用に切替えるられるＬＥＤランプ付ボタンスイッチ（５）を設ける。さらに携帯電話（６）は機種型式により大きな違いがあるので、全機種対応ソケット（４）を装着する。  本考案は、以上のような構成よりなるバックアップメモリー付携帯電話充電器である。
【考案の効果】
【０００６】１．突然の故障、落下その他のトラブルで、現在手持ちの携帯電話が使用不能になり、電話帳一覧等のファイルも、駄目になるケースがあるが、こうなると新しい携帯電話に取り替えても、いちいちまた、電話帳一覧等を一点一点入力する事になる。しかし、本考案の携帯電話の充電器には全部メモリーファイルされているので、新規携帯電話を充電器に乗せるだけで、今までの電話帳一覧も簡単にバックアップ入力が出来るようになった。２．また普段充電する時に、メモリーファイルと携帯電話は、データーを入出力するので、新しく追加された顧客の電話番号等のデーターは、その度にバックアップメモリーにも追加されるので、いつも最新データーがメモリーされている。３．バックアップメモリーは脱着交換可能で、複数台の電話メモリーに対応出来る。４．複雑な入力手段はなく、充電器に乗せるだけで良い。またＬＥＤが点灯して、充電とメモリーのダウンロード等が視覚的に気持ち良く確認できる。
【考案を実施するための最良の形態】
【０００７】  本考案は構造簡単であるが、携帯電話（６）に登録したすべての登録メモリーを瞬時にて、充電しながらパックアップ出来るものである。【０００８】  まず充電器本体（１）に、充電機能と共にメモリー入出力の取合制御およびＬＥＤランプ点灯機能等を具備した、独自のメモリーを内蔵した携帯電話充電手段（２）を設け、さらに脱着可能にした、別途のバックアップメモリー入出力手段（３）を設ける。【０００９】  この前記入出力手段は、携帯電話（６）に入力された顧客等の電話帳一覧を記憶してファイルしたり、そのファイルを新規の携帯電話（６）へダウンロードする機能を持ち、脱着交換可能にした事により携帯電話（６）別に、それぞれのバックアップメモリーをファイルしたものと交換できれば数台の携帯電話別に、バックアップが出来る。また脱着方法は結線プラグで行っても、前記入出力手段の本体を、充電器本体（１）に直接脱着出来る方法でも良い。また、この前記入出力手段を携帯電話に直結させて、携帯電話に入出力が出来る機能を付加する事は、本考案のベストモードである。【００１０】  次に充電専用として利用する場合とか、バックアップ専用として使用する場合もあるので、充電専用とバックアップ専用に切替えられる、ＬＥＤランプ付ボタンスイッチ（５）を設ける。さらには、携帯電話（６）は機種型式に大きな違いがあるので、全機種に対応出来るように、全機種対応ソケット（４）を装着する事がベストである。  本考案は以上のような構成であり、これを使用せんとするときには、【００１１】  充電器本体（１）を電源コンセントにつなぎ、次に自分専用のバックアップメモリー入出力手段（３）を選び、これを接続する。【００１２】  そして、ＬＥＤランプ付ボタンスイッチ（５）で、充電専用もしくはメモリーバックアップ専用、または充電・バックアップ両用に選択する。この時に、ＬＥＤランプのイルミネーションが点灯する。【００１３】  後は、携帯電話（６）を全機種対応ソケット（４）に差込んで、一連の実施セットが成されて、ＬＥＤランプが消えると、充電あるいはメモリーダウンロードが終了する。  このように、本考案は難しいコンピューター打込みのキー操作等まったく要しない為誰でも簡単に扱えるところに特徴をなす。
【図面の簡単な説明】
【００１４】
【図１】本考案の実施図である。
【図２】本考案の説明図である。
【符号の説明】
【００１５】  １  充電器本体  ２  携帯電話充電手段  ３  バックアップメモリー入出力手段  ４  全機種対応ソケット  ５  ＬＥＤランプ付ボタンスイッチ  ６  携帯電話
【図１】
0003102404.tif 000002
【図２】
0003102404.tif 000003
(57)【要約】      （修正有）【課題】縦型及び横型で使用可能であり、前面にラベルがついていてもファイルの出し入れが容易なファイルスタンドボックスを提供する。【解決手段】独立したラベルドアー３とそれを取り付けるボタン２をスタンドボックス１に持たせることにより、前面が開閉ドアーとなり、これを開閉することにより、中のファイルを容易に出し入れすることを可能する。また、ラベルドアーは任意の２隅に取り付けることができることから、ラベル付で縦型、横型で使用することができる。【選択図】図１
0003102432.tif 000002
【実用新案登録請求の範囲】
【請求項１】
独立したラベルドアーとそれを取り付けるボタンを４隅に持つスタンドボックスから構成される、着脱可能なラベルドアーを持つファイルスタンドボックス
【考案の詳細な説明】
【技術分野】
【０００１】  本考案は、ラベルドアーを持つファイルスタンドボックスに関するものである。
【背景技術】
【０００２】  従来のファイルスタンドボックスは、上部のみまたは上部および前面がファイルを出し入れするために開放されている。
【考案の開示】
【考案が解決しようとする課題】
【０００３】  解決しようとする課題は
（イ）キャビネットの中段に収納した上部開放型のスタンドボックスの中のファイルを出し入れする際、スタンドボックスを一旦外に取り出す必要があり不便である。
（ロ）上部および前面開放型のスタンドボックスはラベルがつけられないので不便である。
【課題を解決するための手段】
【０００４】本考案は、ファイルスタンドボックスの前面を開閉式にし、スタンドボックスを外に取りださなくても中のファイルを容易に出し入れが可能になり、且つ、ラベルドアーが任意の２隅に取り付けられることからラベル付でスタンドボックスを縦型、横型で使用できるようになる。
【考案の効果】
【０００５】  （イ）スタンドボックス前面を開閉ドアーにすることにより、ファイルを容易に出し入れすることが可能になる。
（ロ）ラベルドアーを任意の２隅に取り付けることにより、スタンドボックスをラベル付で縦型、横型に使用できる。
【考案を実施するための最良の形態】
【０００６】  （イ）ラベルドアーを縦型、横型使用に応じて、スタンドボックスのラベルドアー取り付けボタンに差し込む形で取り付ける。
（ロ）ファイルの出し入れは、ラベルドアーを手前に開き使用する。
【実施例】
【０００７】  以下、添付図面に従って一実施例を説明する。スタンドボックスに取り付けられたラベルドアーを手前に開閉することにより、ファイルを容易に出し入れすることができる。また、ラベルドアーを反対側のラベルドアー取り付けボタンに取り付けることにより、スタンドボックスを縦型用、横型用として使用出来る。
【図面の簡単な説明】
【０００７】
【図１】    本考案の構成図である。
【符号の説明】
【０００８】    １  スタンドボックス
２  ラベルドアー取り付けボタン
３  ラベルドアー
４  ラベル入れ
【図１】
0003102432.tif 000003
(57)【要約】      （修正有）【課題】水入れ容器にホースで注水する場合、水圧により注水ホースが跳ね上り注水ホースが落下しないように、ホース跳ね上がり防止付水入れ容器を提供する。【解決手段】水入れ容器1の内側に、注水ホース受け差込パイプ2を設け、ホース受け差込パイプに注水ホースを差し込み使用する事により、水圧による注水ホースの跳ね上がり、落下を防止するようにした。【選択図】図２
0003102433.tif 000002
【実用新案登録請求の範囲】
【請求項１】
水入れ容器（１）の内側に注水ホース差込みパイプ（２）と注水ホースストッパー（３）を設け、注水時ホースを注水ホース差込みパイプに差込むようにし注水ホースの跳ね上がりを防止した水入れ容器。
【考案の詳細な説明】
【考案の詳細な説明】
【考案が解決しようとする課題】
【０００１】  従来の水入れ容器に注水ホースで注水する場合、水圧により注水ホースが跳ね上がり注水ホースが落下するため、注水ホースを手で押さえているか、注水ホースを固定して注水するか等の問題を有していた。
【課題を解決するための手段】
【０００２】  上記目的を達成するため水入れ容器内側に、注水ホースストッパー付ホース差込みパイプを設け、注水時注水ホースを注水ホース差込みパイプに差込むようにしました。
【考案の効果】
【０００３】  本考案の水入れ容器を使用することによって、注水時の水圧による注水ホースの跳ね上がり、落下を防止することができ、注水ホースの固定等と水入れの手間が省け連続注水が可能となり大変便利になりました。
【図面の簡単な説明】
【図１】水入れ容器の正面図である。
【図２】水入れ容器の側面図である。
【図３】水入れ容器の平面図である。
【符号の説明】
１  水入れ容器
２  注水ホース差込パイプ
３  注水ホースストッパー
【図１】
0003102433.tif 000003
【図２】
0003102433.tif 000004
【図３】
0003102433.tif 000005
(57)【要約】  【課題】  化粧パフ表面に黄色ブドウ菌が付着繁殖しないようにした化粧パフを得る。  【解決手段】  本考案は化粧パフ１であって、該化粧パフ１は適正割合の酸化チタン２，２…が配合された発泡材の該原材料を発泡させ、注型加硫して離型し、任意の形状に切断加工されて成ることを特徴とする抗菌化粧パフを提供する。【選択図】  図１
0003102467.tif 000002
【実用新案登録請求の範囲】
【請求項１】
化粧パフであって、該化粧パフは適正割合の酸化チタンが配合された発泡材の該原材料を発泡させ、注型加硫して離型し、任意の形状に切断加工されて成ることを特徴とする抗菌化粧パフ。
【考案の詳細な説明】
【技術分野】
【０００１】
この考案は抗菌化粧パフに関するものであり、特に、化粧パフ表面に付着繁殖する黄色ブドウ菌を限りなく減殺させた化粧パフに関するものである。
【背景技術】
【０００２】
従来、一般に使用されている化粧パフの表面には、該化粧パフの使用中、黄色ブドウ菌が付着し、そして、急速に繁殖する。
【０００３】
斯くの如き黄色ブドウ菌が付着繁殖した化粧パフを用いて顔面等に白粉を塗布すれば、前記黄色ブドウ菌が肌に転移し、そして、肌荒れ現象を起すことになる。而も、従来はこの肌荒れの原因となる黄色ブドウ菌を死滅又は抗菌する適正な手段等を施した化粧パフは嘗て提案されていない。
【考案の開示】
【考案が解決しようとする課題】
【０００４】
従来、一般に用いられている化粧パフは、適正な殺菌又は抗菌等が施されていないため、この化粧パフを用いて化粧料を顔面等に塗布すれば、該化粧パフには付着繁殖している黄色ブドウ菌が皮膚表面に転移し、肌荒れを起す。
【０００５】
そこで、化粧パフ表面に黄色ブドウ菌が付着繁殖しない化粧パフを得るために解決せられるべき技術的課題が生じてくるのであり、本考案は該課題を解決することを目的とする。
【課題を解決するための手段】
【０００６】
本考案は上記目的を達成するために提案されたものであり、化粧パフであって、該化粧パフは適正割合の酸化チタンが配合された発泡材の該原材料を発泡させ、注型加硫して離型し、任意の形状に切断加工されて成ることを特徴とする抗菌化粧パフを提供するものである。
【考案の効果】
【０００７】
本考案の化粧パフは、発泡材の原材料中に適正割合の酸化チタンを配合して発泡させ、そして、之を注型加硫した後離型し、所定形状に切断加工されて成るから、前記酸化チタンは例えば、発泡材としてのアクリル．ニトリル．ブタジェン．ラバー溶液によく配合され、そして、型内で加硫されることによって生成されるので、万遍なく配布されて混合される酸化チタンの光触媒作用によってこの化粧パフに付着した黄色ブドウ菌が分解除去されることになり、而も、該黄色ブドウ菌は限りなく減殺されることになる。依って、本考案の化粧パフを用いて化粧料を顔面等に塗布しても黄色ブドウ菌による肌荒れを起すことはなくなると同時に、発泡材を加硫することにより適度の弾性が付与されて、化粧パフによる化粧料の塗布操作を容易にすることができる。
【考案を実施するための最良の形態】
【０００８】
以下、本考案の一実施の形態を図面に従って詳述する。図は本考案の化粧パフ１を示す。該化粧パフ１は発泡材の原材料として例えば、アクリル．ニトリル．ブタジェン．ラバーが用いられ、この溶液に例えば５Wt％の割合の酸化チタンの溶液が配合される。この酸化チタンの溶液が配合された前記発泡材の原材料は発泡して型に注入される。そこで、型に注入された前記発泡材は適正温度及び時間の下で加硫されて後、離型され、洗浄水にて洗浄され、更に脱水されて所定形状に切断され、乾燥、研磨され、粉塵除去することによって製造される。
【０００９】
斯くして、製造された本考案の化粧パフには適正割合に配合された酸化チタン２，２…が万遍なく包含されているので、この酸化チタンは光触媒作用によって該化粧パフ表面に付着した黄色ブドウ菌を分解殺菌し、そして、限りなく減殺して化粧パフの表面から黄色ブドウ菌を除去することができる。
【００１０】
又、本考案の化粧パフ１は前記酸化チタン２，２…が配合されて発泡され、そして、注型して加硫されるので、化粧パフとしての適度の弾性が付与され、化粧操作が容易確実となる。
【００１１】
尚、本考案は、本考案の精神を逸脱しない限り種々の改変を為すことができ、そして、本考案が該改変されたものに及ぶことは当然である。
【図面の簡単な説明】
【００１２】
【図１】本考案の一実施の形態を示し、化粧パフの斜面図。
【図２】図１のＡ−Ａ線断面図。
【符号の説明】
【００１３】
１        化粧パフ
２        酸化チタン
【図１】
0003102467.tif 000003
【図２】
0003102467.tif 000004
(57)【要約】      （修正有）【課題】潤滑状態及び作動のスムーズさを達成することができる螺旋型無給油リテイナーの構造を提供する。【解決手段】主にリテイナー１０の内外表面に連続状の溝２０を打ち出し、該溝２０内に二硫化モリブデンを埋設し、これにより、ガイドピラ３０との接触面は増加し、かつ平均となり、潤滑状態及び作動のスムーズさを達成することができることを特徴とし、また、前記リテイナー１０内孔を研磨後、精密研磨を施し、さらに円筒研磨により外周を研磨し、内孔の真円と内外の同心を確実に達成することを特徴とする。【選択図】図５
0003102469.tif 000002
【実用新案登録請求の範囲】
【請求項１】
リテイナーの内外表面に連続状の溝を打ち出し、該溝内に二硫化モリブデンを埋設し、これにより、ガイドピラとの接触面は増加し、かつ平均となり、潤滑状態及び作動のスムーズさを達成することができることを特徴とする螺旋型無給油リテイナーの構造。
【請求項２】
前記リテイナー内孔を研磨後、精密研磨を施し、さらに円筒研磨により外周を研磨し、内孔の真円と内外の同心を確実に達成することを特徴とする請求項１記載の螺旋型無給油リテイナーの構造。
【考案の詳細な説明】
【技術分野】
【０００１】
本考案は一種の螺旋型無給油リテイナーの構造に関する。特に一種の公知構造の欠点に改良を加えた製造の便がよく、作動がスムーズである螺旋型無給油リテイナーの構造に係る。
【背景技術】
【０００２】
公知のリテイナーの構造は図１、２が示すように、二硫化モリブデンを間断式に埋設する。二硫化モリブデンの設置方式を間断式とするため、二硫化モリブデンそのものはガイドピラと完全には接触しない。よって潤滑が均一でなくなり、動作のスムーズさも期待できないため、生産効率も悪く、市場競争力を低下させてしまっている。
【特許文献１】特開平９−１００８４８号公報
【考案の開示】
【考案が解決しようとする課題】
【０００３】
上記公知構造の欠点を解決するため、本考案は螺旋型無給油リテイナーの構造の提供を課題とする。
それは、製造工程及び加工組立てを非常に迅速に行うことができるため、大量生産を可能にする。
さらに、大量の材料及び製造コストを節減することができる
加えてリテイナーとガイドピラとの接触面が増加し平均になるだけでなく、作動をいっそうスムーズにすることができる。
【課題を解決するための手段】
【０００４】
上記課題を解決するため、本考案は下記の螺旋型無給油リテイナーの構造を提供する。
それは主にリテイナーの内外表面に連続状の溝を打ち出し、該溝内に二硫化モリブデンを埋設する。
該リテイナー内孔を研磨後、精密研磨を施し、さらに円筒研磨により外周を研磨し、内孔の真円と内外の同心を確実に達成する。
すなわち、本考案の螺旋型無給油リテイナーの構造は、主にリテイナーの内外表面に連続状の溝を打ち出し、該溝内に二硫化モリブデンを埋設し、これにより、ガイドピラとの接触面は増加し、かつ平均となり、潤滑状態及び作動のスムーズさを達成することができることを特徴とする。
また、前記リテイナー内孔を研磨後、精密研磨を施し、さらに円筒研磨により外周を研磨し、内孔の真円と内外の同心を確実に達成することを特徴とする。
【考案の効果】
【０００５】
上記のように、本考案の製造工程及び加工組立ては非常に迅速に行うことができ、大量生産を可能にする。さらには大量の材料及び製造コストを節減することができる。加えてリテイナーとガイドピラとの接触面が増加し平均になるだけでなく、作動をいっそうスムーズにすることができる。
【考案を実施するための最良の形態】
【０００６】
図３、４、５が示すように、本考案はリテイナー１０内外表面に連続状の溝２０を打ち出し、該溝２０内に二硫化モリブデンを埋設する。これにより、ガイドピラ３０との接触面は増加し、かつ平均となり、潤滑状態及び作動のスムーズさを達成することができる。
【０００７】
本考案は非常に迅速かつ便利に組立てを行うことができる。なぜなら本考案のリテイナー１０は一体成型であるため、製造工程において非常にスピーディーであるばかりか、該ガイドピラ３０の組合せを対応させ、極めて迅速に全体の組立てを完成することができるからである。
実施時には、該リテイナー１０内外に螺旋連続溝２０を打ち出す。該溝２０内には二硫化モリブデンを埋設し、内孔を研磨後、精密研磨を施し、さらに円筒研磨により外周を研磨する。こうして、内孔の真円と内外の同心を確実に達成する。これにより、接触面が増加し平均になるだけでなく、作動もいっそうスムーズになる。
さらに、本考案の構造部品は簡潔で、特に螺旋式構造であるため、接触面が増加し平均となり、一層なめらかになり、潤滑効率を向上させることができる。本考案の二硫化モリブデンは潤滑の作用を提供し、摩擦熱の発生を低く抑え、しかも散熱を迅速にするため、高速運転のパンチプレス作業におけるからまり現象を防止することができ、金型の稼働率を大幅に向上させることができる。
【図面の簡単な説明】
【０００８】
【図１】公知構造の立体分解指示図である。
【図２】公知構造の断面指示図である。
【図３】本考案構造の立体分解指示図である。
【図４】本考案構造の組合せ断面指示図である。
【図５】本考案構造の実施状態指示図である。
【符号の説明】
【０００９】
１０  リテイナー
２０  溝
３０  ガイドピラ
【図１】
0003102469.tif 000003
【図２】
0003102469.tif 000004
【図３】
0003102469.tif 000005
【図４】
0003102469.tif 000006
【図５】
0003102469.tif 000007
(57)【要約】  【課題】    クッションのカバーとして上着を用い、確実に保持できるクッションを提供することを課題とする。  【解決手段】    想定される上着の胴部分に内側から接触して保持する胴保持部と、前記上着の袖部に内側から接触して保持する袖保持部とを有する。このような構成により、想定される上着に関して胴保持部が上着の胴体部分を内側から接触して保持し、袖保持部分が上着の袖部分を内側から接触して保持するので、上着が確実にクッションに固定されることになる。これによって、想定される上着をクッションカバーとして快適にしようすることができ、上着のデザインは種々あるので、容易にデザインを変更することもできる。【選択図】  図１
0003102464.tif 000002
【実用新案登録請求の範囲】
【請求項１】
想定される上着の胴部分に内側から接触して保持する胴保持部と、
前記上着の袖部に内側から接触して保持する袖保持部と
を有するクッション。  
【請求項２】
前記クッションにおいて、さらに、
前記上着の首部分を通す円筒状の首保持部を有する請求項１に記載のクッション。
【考案の詳細な説明】
【技術分野】
【０００１】
本考案はクッションに関し、特に衣服をカバーとして使用できるクッションに関する。
【背景技術】
【０００２】
従来のクッションは予めカバーがつけられて販売されている。このカバーについては交換用のカバーが販売されていることもあり、また、使用者が自ら交換用のカバーを手作りで製作する場合もある。
【考案の開示】
【考案が解決しようとする課題】
【０００３】
クッションカバーは交換用のカバーが販売されていることはまれであり、販売されていたとしても、デザインの種類は限定されていた。また、クッションカバーを手作りで製作する場合には自由なデザインが可能であるが、相当の労力が必要になる。
一方、Tシャツなどの衣類はデザインも豊富であり、これをクッションに掛けてカバーにすることも考えられる。しかし、従来のクッションは四角や円形など単純なものがほとんどであり、確実に衣類を保持することができず、ずれたり、しわになったりするという問題が生じる。
本考案は、このような問題に鑑み、クッションのカバーとして上着を用い、確実に保持できるクッションを提供することを課題とする。
【課題を解決するための手段】
【０００４】
上記課題を解決するために、本考は次のような構成を有する。
請求項１に記載の考案に係るクッションは想定される上着の胴部分に内側から接触して保持する胴保持部と、前記上着の袖部に内側から接触して保持する袖保持部とを有する。なお、想定される上着は一般的にはＳ，Ｍ，Ｌなどの上着のサイズで定めることができ、また、袖が長袖か半袖か、丈の長さはどれくらいかなど形状を細かく想定することもできる。
請求項２に記載の考案に係るクッションは、前記クッションにおいて、さらに、前記上着の首部分を通す円筒状の首保持部を有する。
【考案の効果】
【０００５】
請求項１に記載の考案は、想定される上着に関して胴保持部が上着の胴体部分を内側から接触して保持し、袖保持部分が上着の袖部分を内側から接触して保持するので、上着が確実にクッションに固定されることになる。これによって、想定される上着をクッションカバーとして快適に使用することができ、上着のデザインは種々あるので、容易にデザインを変更することもできる。
請求項２に記載の考案は、さらに、円筒状の首保持部が上着の首部分に通されることで、上着の保持をより確実にすることができる。また、円筒状とすることで上着の首部分への出し入れが容易に行える。  
【考案を実施するための最良の形態】
【０００６】
以下、本考案の実施の形態について、図面を参照しながら説明する。
図１に実施の形態に係るクッションの正面図を示し、図２に同クッションの平面図を示し、図３に同クッションの底面図を示し、図４に同クッションの側面図を示す。
図に示すようにこのクッションは手と首を含んだ人の胴体形を模したものであり、胴保持１、袖保持部２、首保持部３を有する。胴保持部１、袖保持部２、首保持部３は表面が縫い合わされた布で形成され、内部に綿で形成される詰め物が詰められている。なお、詰め物はソフトビーズやポリウレタンなど形状がある程度維持できるクッション性のあるものであれば種々のものを採用できる。袖保持部２、首保持部３の表面部分は内部が連通するように胴保持部１に縫い合わされて固定されている。
胴保持部１はここではＭサイズの長袖の運動着の胴部の内部が略納まる大きさ及び形状をしており、運動着の胴部を内側から接触して保持することができる。袖保持部２は、前記運動着の袖が略納まる大きさ及び形状をしており、運動着の袖部を内側から接触して保持することができる。首保持部３は、前記運動着の首部分が略通る大きさの円筒状をしており、前記運動着の首部分を保持することができる。
【０００７】
次に、以上のような構成を有するクッションの使用方法について説明する。このクッションはカバーとして人の着用する上着を使用する。想定される上着はここでは運動着にしているが、一般的に他の上着も人の体型に合わせてあるのでサイズがあえば運動着以外にもボタンシャツやジャケットなど適宜使用することが可能である。使用方法は、まず、２つの袖保持部分２を上方に曲げて、この状態で、適当な大きさの上着Ｘを首保持部分３の方からかぶせる。そして、２つの袖保持部分２を上着Ｘのそれぞれ袖に通す。袖が十分に通ると袖保持部分２は元の位置に戻る。さらに、首保持部分３を上着の首部分に通すことで装着が完了する。この状態で通常のクッションと同様に使用することができる。上着Ｘが汚れたりした場合や、別のデザインの上着Ｘに変更したい場合は、装着と逆の順序で上着Ｘを取り去り、新たな上着を装着すればよい。
このように本考案に係るクッションでは人の形をしているために通常の上着をクッションカバーとして使用でき、このために、無限に近いバリエーションのカバーを使用者の好みに合わせて使用することができる。
なお、このクッションは枕として使用することもできる。
【図面の簡単な説明】
【０００８】
【図１】実施の形態に係るクッションの正面図である。
【図２】実施の形態に係るクッションの平面図である。
【図３】実施の形態に係るクッションの底面図である。
【図４】実施の形態に係るクッションの側面図である。
【符号の説明】
【０００９】
１  胴保持部
２  袖保持部
３  首保持部
【図１】
0003102464.tif 000003
【図２】
0003102464.tif 000004
【図３】
0003102464.tif 000005
【図４】
0003102464.tif 000006